【手続補正書】
【提出日】令和2年1月22日(2020.1.22)
【手続補正１】
【補正対象書類名】特許請求の範囲
【補正対象項目名】請求項５
【補正方法】変更
【補正の内容】
【請求項５】
液晶組成物が、第一添加物として式（２−１）から式（２−５８）で表される極性化合物の群から選択された少なくとも１つの化合物を含有する、請求項１から４のいずれか１項に記載の液晶表示素子。
【化７】
2018163271.tif 000001
【化８】
2018163271.tif 000002
【化９】
2018163271.tif 000003
【化１０】
2018163271.tif 000004
【化１１】
2018163271.tif 000005
【化１２】
2018163271.tif 000006
【化１３】
2018163271.tif 000007
【化１４】
2018163271.tif 000008
【化１５】
2018163271.tif 000009
【化１６】
2018163271.tif 000010
式（２−１）から式（２−５８）において、Ｒ７は、水素、フッ素、塩素、炭素数１から１２のアルキル、炭素数１から１２のアルコキシ、炭素数２から１２のアルケニル、少なくとも１つの水素がフッ素または塩素で置き換えられた炭素数１から１２のアルキル、または少なくとも１つの水素がフッ素または塩素で置き換えられた炭素数２から１２のアルケニルであり；Ｒ８は、水素またはメチルであり；Ｓｐ１、Ｓｐ２、Ｓｐ３、Ｓｐ９、Ｓｐ１０、Ｓｐ１１、およびＳｐ１２は独立して、単結合または炭素数１から１０のアルキレンであり、このアルキレンにおいて、少なくとも１つの−ＣＨ２−は、−Ｏ−、−ＣＯＯ−、−ＯＣＯ−、または−ＯＣＯＯ−で置き換えられてもよく、そして少なくとも１つの−ＣＨ２−ＣＨ２−は、−ＣＨ＝ＣＨ−または−Ｃ≡Ｃ−で置き換えられてもよく、これらの基において、少なくとも１つの水素は、フッ素または塩素で置き換えられてもよく；Ｓｐ４は、単結合または炭素数１から７のアルキレンであり、このアルキレンにおいて、少なくとも１つの−ＣＨ２−は、−Ｏ−、−ＣＯＯ−、または−ＯＣＯ−で置き換えられてもよく、少なくとも１つの−ＣＨ２−ＣＨ２−は、−ＣＨ＝ＣＨ−で置き換えられてもよく、これらの基において、少なくとも１つの水素は、フッ素で置き換えられてもよく；Ｚ３、Ｚ４、およびＺ６は独立して、単結合または炭素数１から１０のアルキレンであり、このアルキレンにおいて、少なくとも１つの−ＣＨ２−は、−Ｏ−、−ＣＯ−、−ＣＯＯ−、または−ＯＣＯ−で置き換えられてもよく、そして少なくとも１つの−ＣＨ２−ＣＨ２−は、−ＣＨ＝ＣＨ−、−Ｃ（ＣＨ３）＝ＣＨ−、−ＣＨ＝Ｃ（ＣＨ３）−、または−Ｃ（ＣＨ３）＝Ｃ（ＣＨ３）−で置き換えられてもよく、これらの基において、少なくとも１つの水素は、フッ素または塩素で置き換えられてもよく；Ｘ０およびＸ３は独立して、−ＯＲ０または−Ｎ(Ｒ０)２で表される基であり、ここでＲ０は、水素または炭素数１から１２のアルキルであり；Ｌ１、Ｌ２、Ｌ３、Ｌ４、Ｌ５、Ｌ６、Ｌ７、Ｌ８、Ｌ９、Ｌ１０、Ｌ１１、およびＬ１２は独立して、水素、フッ素、または炭素数１から１２のアルキルであり；ｊは、０、１、２、３、４、５、または６である。
【手続補正２】
【補正対象書類名】明細書
【補正対象項目名】００２４
【補正方法】変更
【補正の内容】
【００２４】
項５．  液晶組成物が、第一添加物として式（２−１）から式（２−５８）で表される極性化合物の群から選択された少なくとも１つの化合物を含有する、項１から４のいずれか１項に記載の液晶表示素子。
【化８】
2018163271.tif 000011
【化９】
2018163271.tif 000012
【化１０】
2018163271.tif 000013
【化１１】
2018163271.tif 000014
【化１２】
2018163271.tif 000015
【化１３】
2018163271.tif 000016
【化１４】
2018163271.tif 000017
【化１５】
2018163271.tif 000018
【化１６】
2018163271.tif 000019
【化１７】
2018163271.tif 000020
式（２−１）から式（２−５８）において、Ｒ７は、水素、フッ素、塩素、炭素数１から１２のアルキル、炭素数１から１２のアルコキシ、炭素数２から１２のアルケニル、少なくとも１つの水素がフッ素または塩素で置き換えられた炭素数１から１２のアルキル、または少なくとも１つの水素がフッ素または塩素で置き換えられた炭素数２から１２のアルケニルであり；Ｒ８は、水素またはメチルであり；Ｓｐ１、Ｓｐ２、Ｓｐ３、Ｓｐ９、Ｓｐ１０、Ｓｐ１１、およびＳｐ１２は独立して、単結合または炭素数１から１０のアルキレンであり、このアルキレンにおいて、少なくとも１つの−ＣＨ２−は、−Ｏ−、−ＣＯＯ−、−ＯＣＯ−、または−ＯＣＯＯ−で置き換えられてもよく、そして少なくとも１つの−ＣＨ２−ＣＨ２−は、−ＣＨ＝ＣＨ−または−Ｃ≡Ｃ−で置き換えられてもよく、これらの基において、少なくとも１つの水素は、フッ素または塩素で置き換えられてもよく；Ｓｐ４は、単結合または炭素数１から７のアルキレンであり、このアルキレンにおいて、少なくとも１つの−ＣＨ２−は、−Ｏ−、−ＣＯＯ−、または−ＯＣＯ−で置き換えられてもよく、少なくとも１つの−ＣＨ２−ＣＨ２−は、−ＣＨ＝ＣＨ−で置き換えられてもよく、これらの基において、少なくとも１つの水素は、フッ素で置き換えられてもよく；Ｚ３、Ｚ４、およびＺ６は独立して、単結合または炭素数１から１０のアルキレンであり、このアルキレンにおいて、少なくとも１つの−ＣＨ２−は、−Ｏ−、−ＣＯ−、−ＣＯＯ−、または−ＯＣＯ−で置き換えられてもよく、そして少なくとも１つの−ＣＨ２−ＣＨ２−は、−ＣＨ＝ＣＨ−、−Ｃ（ＣＨ３）＝ＣＨ−、−ＣＨ＝Ｃ（ＣＨ３）−、または−Ｃ（ＣＨ３）＝Ｃ（ＣＨ３）−で置き換えられてもよく、これらの基において、少なくとも１つの水素は、フッ素または塩素で置き換えられてもよく；Ｘ０およびＸ３は独立して、−ＯＲ０または−Ｎ(Ｒ０)２で表される基であり、ここでＲ０は、水素または炭素数１から１２のアルキルであり；Ｌ１、Ｌ２、Ｌ３、Ｌ４、Ｌ５、Ｌ６、Ｌ７、Ｌ８、Ｌ９、Ｌ１０、Ｌ１１、およびＬ１２は独立して、水素、フッ素、または炭素数１から１２のアルキルであり；ｊは、０、１、２、３、４、５、または６である。
【手続補正３】
【補正対象書類名】明細書
【補正対象項目名】００４３
【補正方法】変更
【補正の内容】
【００４３】
好ましいポリシロキサンは、カルボキシル基、ヒドロキシアルキル基、アミノ基、アルキルアミノ基、メルカプト基、エポキシ基、または重合性不飽和結合を有する。カルボキシル基を含有するポリシロキサンの原料は、４−（トリメトキシシリル）ペンタン酸などである。ヒドロキシアルキル基を含有するポリシロキサンの原料は、４−ヒドロキシプロピルトリエトキシシランなどである。アミノ基を含有するポリシロキサンの原料は、３−アミノプロピルトリメトキシシランなどである。アルキルアミノ基を含有するポリシロキサンの原料は、Ｎ−［３−（トリメトキシシリル）プロピル］−１−ブタンアミンなどである。メルカプト基を含有するポリシロキサンの原料は、３−メルカプトプロピルトリメトキシシランなどである。エポキシ基を含有するポリシロキサンの原料は、３−グリシドキシプロピルトリメトキシシランなどである。重合性不飽和結合を含有するポリシロキサンの原料は、メタクリル酸３−（トリメトキシシリル）プロピル、α-メチレン-γ-ブチロラクトンなどである。
【手続補正４】
【補正対象書類名】明細書
【補正対象項目名】００４５
【補正方法】変更
【補正の内容】
【００４５】
式（Ｘ１−１）から式（Ｘ１−７）において、星印は結合する部位を示し；Ｚ１０は、−Ｏ−または単結合であり；Ｚ１１は、単結合、炭素数１から６のアルキレン、または−Ｏ−、−Ｓ−、−ＣＯＯ−、−ＯＣＯ−、および−ＮＲ１１−の群から選択された少なくとも１つの基を有する炭素数１から２０の二価基であり、ここでＲ１１は、水素または炭素数１から６のアルキルであり；ｓは１、２、または３であり、ｔは、０から６の整数であり、ｔが０の場合、Ｚ１０は単結合であり；ｓは、０から６の整数である。
【手続補正５】
【補正対象書類名】明細書
【補正対象項目名】０１０８
【補正方法】変更
【補正の内容】
【０１０８】
化合物（３）のような重合性化合物は紫外線照射によって重合する。光重合開始剤などの適切な開始剤存在下で重合させてもよい。重合のための適切な条件、開始剤の適切なタイプ、および適切な量は、当業者には既知であり、文献に記載されている。例えば光重合開始剤であるＩｒｇａｃｕｒｅ６５１（登録商標；ＢＡＳＦ）、Ｉｒｇａｃｕｒｅ１８４（登録商標；ＢＡＳＦ）、またはＤａｒｏｃｕｒ１１７３（登録商標；ＢＡＳＦ）がラジカル重合に対して適切である。光重合開始剤の好ましい割合は、重合性化合物の全重量に基づいて約０．１重量％から約５重量％の範囲である。さらに好ましい割合は約１重量％から約３重量％の範囲である。